(57)【要約】【課題】  映像表示装置周辺の照明特性データの生成方法及び装置とこれを利用した色変移補償方法及び装置を提供する。【解決手段】  映像表示装置周辺の所定の照明特性データを獲得する段階と、獲得した照明特性データを、照明光の種類に関する情報を表すタイプブロックと照明光の輝度に関する情報を表す輝度ブロックとより構成されるデータフォーマットに変換する段階とを含む映像表示装置周辺の照明特性データの生成方法である。  本発明によれば、最初の入力映像の色特性を映像表示装置の出力映像に再現でき、照明特性データの構造は汎用の互換性のあるデータ形態に表現できて多様な映像表示装置に映像を有／無線に供給するサービスシステムで照明影響に対する色変移補償を行うのに広範囲に使われる。【選択図】  図１
2004212969.tif 000002
【特許請求の範囲】
【請求項１】
映像表示装置周辺の照明特性データを獲得する段階と、
前記獲得した照明特性データを、照明光の種類に関する情報を表すタイプブロック及び照明光の輝度に関する情報を表す輝度ブロックよりなるデータフォーマットに変換する段階と
を含むことを特徴とする映像表示装置周辺の照明特性データの生成方法。
【請求項２】
前記照明特性データは、
ユーザーインターフェースを通じてユーザーから直接獲得することを特徴とする請求項１に記載の映像表示装置周辺の照明特性データの生成方法。
【請求項３】
前記照明特性データは、
照明の種類に関する情報と、照明の輝度に関する情報とを含む
ことを特徴とする請求項２に記載の映像表示装置周辺の照明特性データの生成方法。
【請求項４】
前記照明の種類に関する情報は、
「白熱灯」、「蛍光灯」、「日光」、及び「天空光」のうちの一つに関するものである
ことを特徴とする請求項３に記載の映像表示装置周辺の照明特性データの生成方法。
【請求項５】
前記照明の輝度に関する情報は、
「暗い」、「薄暗い」、「明るい」、「非常に明るい」に関するものである
ことを特徴とする請求項３に記載の映像表示装置周辺の照明特性データの生成方法。
【請求項６】
前記照明特性データは、計測センサーを通じて獲得される
ことを特徴とする請求項１に記載の映像表示装置周辺の照明特性データの生成方法。
【請求項７】
前記照明特性データは、
照明光の種類に関する情報と、照明光の輝度に関する情報とを含む
ことを特徴とする請求項６に記載の映像表示装置周辺の照明特性データの生成方法。
【請求項８】
前記照明光の種類に関する情報は、
照明光の色温度値と、照明光の色度座標系の座標値のうちの何れか一方を含む
ことを特徴とする請求項７に記載の映像表示装置周辺の照明特性データの生成方法。
【請求項９】
前記照明光の輝度に関する情報は、
ルクス（Ｌｕｘ）単位で表現される数値的輝度値である
ことを特徴とする請求項７に記載の映像表示装置周辺の照明特性データの生成方法。
【請求項１０】
前記ユーザーインターフェースから獲得した照明特性データは、
照明光の種類に関する情報と照明光の輝度に関する情報とを含む照明特性データに、所定のマッピングテーブルを用いて変換され、
前記照明光の種類に関する情報は、照明光の色温度値と、照明光の色度座標系の座標値とのうちの何れか一方を備える
ことを特徴とする請求項２に記載の映像表示装置周辺の照明特性データの生成方法。
【請求項１１】
前記計測センサーから獲得した照明特性データは、
照明光の種類に関する情報と照明光の輝度に関する情報とを含む照明特性データに、所定のマッピングテーブルを用いて変換され、
前記照明の輝度に関する情報は、「暗い」、「薄暗い」、「明るい」、「非常に明るい」のうちの一つに関するものである
ことを特徴とする請求項６に記載の映像表示装置周辺の照明特性データの生成方法。
【請求項１２】
前記タイプブロックは、
タイプペイロード内のデータが、色温度値と色度座標値のうちの何れであるかを表すフラグと、
前記フラグが色温度値を表すのであれば色温度値を、前記フラグが色度座標値を表すのであれば色度座標値を表すタイプペイロードを含む
ことを特徴とする請求項１に記載の映像表示装置周辺の照明特性データの生成方法。
【請求項１３】
前記フラグは、タイプペイロード内のデータが照明の種類に関する意味的情報であるかを表す情報をさらに備え、
前記タイプペイロードは、前記フラグが意味的情報を表す場合、「白熱灯」、「蛍光灯」、「日光」、「天空光」のうちいずれか一つに関するものであることを特徴とする請求項１２に記載の映像表示装置周辺の照明特性データの生成方法。
【請求項１４】
前記フラグが「０」である場合、前記タイプペイロード内のデータは色温度値を、前記フラグが「１」である場合、前記タイプペイロード内のデータはｘ−ｙ色度座標値を表す
ことを特徴とする請求項１２に記載の映像表示装置周辺の照明特性データの生成方法。
【請求項１５】
前記フラグが「２」である場合、前記タイプペイロード内のデータは意味的情報であり、前記意味的情報が「０」である場合は「白熱灯」を、「１」である場合は「蛍光灯」を、「２」である場合は「日光」を、「３」である場合は「天空光」を表す
ことを特徴とする請求項１３に記載の映像表示装置周辺の照明特性データの生成方法。
【請求項１６】
前記輝度ブロックは、
ルクス単位の数値的値を表すデータを含むことを特徴とする請求項１に記載の映像表示装置周辺の照明特性データの生成方法。
【請求項１７】
前記輝度ブロックは、
輝度ペイロード内のデータが数値的値と意味的値とのうちの何れであるかを表すフラグと、
前記フラグが数値的値を表す場合は、ルクス単位の数値的値を、
前記フラグが意味的値を表す情報である場合は、「暗い」、「薄暗い」、「明るい」、「非常に明るい」のうちいずれか一つを表すデータから構成される輝度ペイロードと
を含むことを特徴とする請求項１に記載の映像表示装置周辺の照明特性データの生成方法。
【請求項１８】
前記フラグが「０」である場合は前記輝度ペイロード内のデータがルクス単位の数値的値であることを、前記フラグが「１」である場合は前記輝度ペイロード内のデータが意味的値であることを表し、
前記意味的値が「０」である場合は「暗い」を、前記意味的値が「１」である場合は、「薄暗い」を、前記意味的値が「２」である場合は「明るい」を、前記意味的値が「３」である場合は「非常に明るい」を表す
ことを特徴とする請求項１７に記載の映像表示装置周辺の照明特性データの生成方法。
【請求項１９】
照明の種類及び照明の輝度に関する情報を含む照明特性データを獲得する照明特性獲得部と、
前記照明特性データを、照明光の種類に関する情報を表すタイプブロック及び照明光の輝度に関する情報を表す輝度ブロックより構成されるデータフォーマットに変換する照明特性データ生成部と
を含むことを特徴とする映像表示装置周辺の照明特性データの生成装置。
【請求項２０】
前記照明の種類に関する情報は、「白熱灯」、「蛍光灯」、「日光」及び「天空光」のうちの一つに関するものであり、
前記照明の輝度に関する情報は、「暗い」、「薄暗い」、「明るい」、「非常に明るい」のうちの一つに関するものである
ことを特徴とする請求項１９に記載の映像表示装置周辺の照明特性データの生成装置。
【請求項２１】
前記照明の種類に関する情報は、照明光の色温度値と、照明光の色度座標系の座標値のうちの何れか一方であり、
前記照明の輝度に関する情報は、ルクス単位で表現される数値的輝度値であることを特徴とする請求項１９に記載の映像表示装置周辺の照明特性データの生成装置。
【請求項２２】
前記照明特性獲得部は、
インターフェース部と計測センサーとのうちの一方を少なくとも含み、
前記インターフェース部は、照明特性データをユーザーから直接取得し、
前記計測センサーは、照明特性を計測して照明特性データを取得する
ことを特徴とする請求項１９に記載の照明特性データの生成装置。
【請求項２３】
前記タイプブロックは、
タイプペイロード内のデータが、色温度値と色度座標値とのうちの何れであるのかを表すフラグと、
前記フラグが色温度値を表す場合は色温度値を、前記フラグが色度座標値を表す場合は色度座標値を表すタイプペイロードと
を含み、
前記輝度ブロックは、
照明の輝度を表す数値的値である
ことを特徴とする請求項１９に記載の映像表示装置周辺の照明特性データの生成装置。
【請求項２４】
前記タイプブロックは、
タイプペイロード内のデータが、色温度値、色度座標値、そして照明の種類に関する意味的情報のうちの何れであるのかを表すフラグと、
前記フラグが色温度値を表すのであれば色温度値を、前記フラグが色度座標値を表すのであれば色度座標値を、前記フラグが意味的情報を表すのであれば「白熱灯」、「蛍光灯」、「日光」、「天空光」のうちの一つを表すタイプペイロードと
を含み、
前記輝度ブロックは、
輝度ペイロード内のデータが数値的値であるか意味的値であるのかを表すフラグと、
前記フラグが数値的値を表すのであればルクス単位の数値的値を、前記フラグが意味的値を表すのであれば「暗い」、「薄暗い」、「明るい」、「非常に明るい」のうちの一つを表す輝度ペイロードと
を含むことを特徴とする請求項１９に記載の映像表示装置周辺の照明特性データの生成装置。
【請求項２５】
映像表示装置周辺の照明特性データを生成して出力する照明特性データ部と、
前記照明特性データを分析し、照明の種類や照明の輝度に応じて入力映像における色変移を補償する色変移補償部とを含み、
前記照明特性データは、照明光の種類に関する情報を表すタイプブロックと、照明光の輝度に関する情報を表す輝度ブロックとを含んで構成される
を特徴とする色変移補償装置。
【請求項２６】
前記照明特性データ部は、
映像表示装置周辺の照明光の種類及び輝度に関する照明特性データを獲得する照明特性データの獲得部をさらに具備することを特徴とする請求項２５に記載の色変移補償装置。
【請求項２７】
前記照明特性データの獲得部は、照明特性データを、ユーザーインターフェースを通じてユーザーから直接、若しくは計測センサーにより獲得することを特徴とする請求項２６に記載の色変移補償装置。
【請求項２８】
前記タイプブロックは、
タイプペイロード内のデータが色温度値であるか色度座標値であるかを表すフラグと、
前記フラグが色温度値を表す情報であれば色温度値を、前記フラグが色度座標値を表す情報であれば色度座標値を表すタイプペイロードと
を含み、
前記輝度ブロックは、照明の輝度を表す数値的値を含む
ことを特徴とする請求項２５に記載の色変移補償装置。
【請求項２９】
前記タイプブロックは、
タイプペイロード内のデータが、色温度値、色度座標値、そして照明の種類に関する意味的情報のうちの何れであるのかを表すフラグと、
前記フラグが色温度値を表すのであれば色温度値を、前記フラグが色度座標値を表すのであれば色度座標値を、前記フラグが意味的情報を表すのであれば「白熱灯」、「蛍光灯」、「日光」、「天空光」のうちのいずれか一つを表すタイプペイロードと
を含み、
前記輝度ブロックは、
前記輝度ペイロード内のデータが数値的値であるのか意味的値であるのかを表すフラグと、
フラグが数値的値を表すのであればルクス単位の数値的値を、前記フラグが意味的値を表すのであれば「暗い」、「薄暗い」、「明るい」、「非常に明るい」のうちいずれか一つを表す輝度ペイロードと
を含むことを特徴とする請求項２５に記載の色変移補償装置。
【請求項３０】
前記色変移補償部は、
前記照明特性データを分析してタイプブロックデータと輝度ブロックデータとに分解する照明特性データ分析部と、
前記タイプブロックデータを色温度値に変換する色温度変換部と、
前記輝度ブロックデータが意味的値である場合、マッピングテーブルにより数値的値に変換する数値変換部と、
照明特性データの色温度及び輝度に対する数値に応じて、入力映像の変換、若しくは映像表示装置の色温度及び輝度特性やコントラスト特性を調整する色変移調整部と
を含んで構成されることを特徴とする請求項２５に記載の色変移補償装置。
【請求項３１】
前記色変移調整部は、
照明の色温度値が現に設定された照明色温度値または映像表示装置の周囲照明の推奨色温度値より高い場合には、表示される映像の色温度値が増加するように入力映像を変換、若しくは映像表示装置の色温度表示特性を調整し、
照明の色温度値が現に設定された照明色温度値または映像表示装置の周囲照明の推奨色温度値より低い場合には、表示される映像の色温度値が減少するように入力映像を変換、若しくは映像表示装置の色温度表示特性を調整する色温度補償部と、
照明のルクス値が現に設定された照明ルクス値または映像表示装置の周囲照明の推奨照明ルクス値より高い場合には、表示される映像の輝度値やコントラスト値が増加するように入力映像を変換、若しくは映像表示装置の輝度特性及びコントラスト特性を調整し、
照明のルクス値が現に設定された照明ルクス値または映像表示装置の周囲照明の推奨照明ルクス値より低い場合には、表示される映像の輝度値やコントラスト値が減少するように入力映像を変換、若しくは映像表示装置の輝度特性及びコントラスト特性を調整する色輝度補償部と
を含んで構成されることを特徴とする請求項３０に記載の色変移補償装置。
【請求項３２】
前記色変移補償された映像を出力する映像出力部をさらに具備することを特徴とする請求項２５に記載の色変移補償装置。
【請求項３３】
（１）照明光の種類に関する情報を表すタイプブロック及び照明光の輝度に関する情報を表す輝度ブロックを含んで構成されるデータフォーマットを有する照明特性データを生成する段階と、
（２）前記照明特性データを分析して、入力映像に対して、照明の種類及び照明の輝度による色変移を補償する段階と
を含むことを特徴とする色変移補償方法。
【請求項３４】
前記（１）段階は、
映像表示装置周辺の照明光の種類及び輝度に関する照明特性データを獲得する段階と、
前記獲得した照明光の種類に関する情報を表すタイプブロック及び照明光の輝度に関する情報を表す輝度ブロックを含んで構成されるデータフォーマットを有する映像表示装置周辺の照明特性データを生成する段階と、よりなることを特徴とする請求項３３に記載の色変移補償方法。
【請求項３５】
前記照明特性データは、
ユーザーインターフェースを通じてユーザーから直接、若しくは計測センサーにより獲得することを特徴とする請求項３４に記載の色変移補償方法。
【請求項３６】
前記タイプブロックは、
タイプペイロード内のデータが色温度値であるか色度座標値であるかを表すフラグと、
前記フラグが色温度値を表すのであれば色温度値を、前記フラグが色度座標値を表すのであれば色度座標値を表すタイプペイロードと
を含み、
前記輝度ブロックは、
照明の輝度に関する数値的値を含むことを特徴とする請求項３３に記載の色変移補償方法。
【請求項３７】
前記データフォーマットのタイプブロックは、
タイプペイロード内のデータが、色温度値、色度座標値、そして照明種類に関する意味的情報のうちの何れであるのかを表すフラグと、
前記フラグが色温度値を表すのであれば色温度値を、前記フラグが色度座標値を表すのであれば色度座標値を、前記フラグが意味的情報を表すのであれば「白熱灯」、「蛍光灯」、「日光」、「天空光」のうちいずれか一つを表すタイプペイロードと
を含み、
前記輝度ブロックは、
輝度ペイロード内のデータが数値的値であるのか意味的値であるのかを表すフラグと、
フラグが数値的値を表す情報であればルクス単位の数値的値を、前記フラグが意味的値を表す情報であれば「暗い」、「薄暗い」、「明るい」、「非常に明るい」のうちいずれか一つを表すデータに該当する輝度ペイロードと
を含むことを特徴とする請求項３３に記載の色変移補償方法。
【請求項３８】
前記色変移補償は、
前記照明特性データのタイプブロックデータを色温度値に変換し、前記照明特性データの輝度ブロックデータが意味的値である場合にマッピングテーブルにより数値的値に変換する段階と、
照明特性データの色温度及び輝度に対する数値に相応するように入力映像を変換、若しくは映像表示装置の色温度及び輝度特性やコントラスト特性を調整する段階と
を含んで構成されることを特徴とする請求項３３に記載の色変移補償方法。
【請求項３９】
前記色変移補償された映像を出力する段階をさらに備えることを特徴とする請求項３３に記載の色変移補償方法。
【請求項４０】
照明光の種類に関する情報を表すタイプブロック及び照明光の輝度に関する情報を表す輝度ブロックを含んで構成されるデータフォーマットを有するデータを記録した照明特性データの記録媒体。
【請求項４１】
前記タイプブロックは、
タイプペイロード内のデータが色温度値であるのか色度座標値であるのかを表すフラグと、
前記フラグが色温度値を表すのであれば色温度値を、前記フラグが色度座標値を表すのであれば色度座標値を表すタイプペイロードと
を含み、
前記輝度ブロックは、
ルクス単位の数値的値を表すデータを含むことを特徴とする請求項４０に記載の照明特性データの記録媒体。
【請求項４２】
請求項１乃至１８、並びに請求項３３乃至３９のうちいずれか１項に記載された発明をコンピュータで実行させるためのプログラムを記録したコンピュータで読取れる記録媒体。
【発明の詳細な説明】
【技術分野】
【０００１】
本発明は映像処理に関するものであり、特に映像表示装置周辺の照明特性データの生成方法及その装置と、照明特性データを利用した色変移補償方法及びその装置に関する。
【背景技術】
【０００２】
従来のカラーイメージ再生方法にはカラー入出力機器の特性化に基づいた機器独立的色処理方法がある。これはカラー入出力機器の機器色信号と標準色信号間の関係を設定する機器特性化方法に基づいている。この方法を利用する場合、入力されたイメージとディスプレイされたイメージ間の測色的な色の一致を達成できる。
【０００３】
このように映像表示装置に表示される映像のカラー特性を最初に入力された映像のカラー特性と測色的に一致させるか表示される映像のカラー特性を視感的に向上させる方法は多く存在する。
しかし、このような方法は、映像表示装置周辺の照明光による影響を考慮していないため、映像表示装置が位置する場所の照明特性が変わると、当初意図された測色的一致や視感的向上が達成されない場合がある。
【０００４】
従来、ユーザが使用する映像表示装置の種類や使用場所はほぼ限定されていたが、有線／無線ネットワークの発達につれて、装置の種類及び使用場所が多様化する傾向にある。
ここで、映像表示装置が補償変換機能を実行できない場合、映像を表示装置に供給するサービス端末側であらかじめ映像を変換（補償）した後に、表示装置に伝達しなければならない。
この際、変換されて入力される照明特性情報が映像供給装置に伝達される必要があるが、伝達される照明特性情報は、ＸＭＬのような汎用のデータ構造で表示可能なものが望ましい。
【発明の開示】
【発明が解決しようとする課題】
【０００５】
本発明が解決しようとする技術的課題は、ユーザが使用する映像表示装置に映像が表示される際に、映像表示装置周辺の照明環境の特性を獲得して記録することのできる方法及びその装置、すなわち映像表示装置周辺の照明特性データの生成方法及び装置を提供することである。
また本発明が解決しようとする他の技術的課題は、ユーザが使用する映像表示装置に映像が表示される際に、映像表示装置周辺の照明の影響により、ユーザに認知される程度の映像の色特性変化が生じるという現象を防ぐために、照明特性データを利用した色変移補償方法及びその装置を提供することである。
【０００６】
本発明が解決しようとするまた他の技術的課題は、前記映像表示装置周辺の照明特性データの生成方法及びこれを利用した色変移補償方法をコンピュータで実行させるためのプログラムを記録したコンピュータで読取れる記録媒体を提供することである。
【課題を解決するための手段】
【０００７】
本発明に係る映像表示装置周辺の照明特性データの生成方法は、映像表示装置周辺の所定の照明特性データを獲得する段階と、獲得した照明特性データを、照明光の種類に関する情報を表すタイプブロックと照明光の輝度に関する情報を表す輝度ブロックとよりなるデータフォーマットに変換する段階とを含むことを特徴とする。
照明特性データは、ユーザインターフェースを通じて、ユーザから直接獲得することが望ましい。また、照明特性データは、照明の種類に関する情報と、照明の輝度に関する情報とを含むことが望ましい。
【０００８】
照明の種類に関する情報は、「白熱灯」、「蛍光灯」、「日光」、そして「天空光」のうちの一つであることが望ましい。
照明の輝度に関する情報は、「暗い」、「薄暗い」、「明るい」、「非常に明るい」のうちの一つであることが望ましい。
【０００９】
照明特性データは、計測センサーを通じて獲得する構成とすることも可能である。この場合、照明特性データは、照明光の種類に関する情報と、照明光の輝度に関する情報とを含むことが望ましい。
照明光の種類に関する情報は、少なくとも照明光の色温度値と照明光の色度座標系の座標値とのうち何れか一方を含むことが望ましい。
照明光の輝度に関する情報は、ルクス単位で表現される数値的輝度値であることが望ましい。
【００１０】
タイプブロックは、フラグとタイプペイロードとから構成され、フラグは、
タイプペイロード内のデータが色温度値であるか色度座標値であるかを表し、タイプペイロードは、フラグが色温度値を表す情報であれば色温度値を、フラグが色度座標値を表す情報であれば色度座標値を表すことが好ましい。
【００１１】
尚、フラグは、タイプペイロード内のデータが照明種類に関する意味的情報を表すように構成とすることも可能である。
そして、タイプペイロードは、フラグが意味的情報を表す情報である場合は、「白熱灯」、「蛍光灯」、「日光」、「天空光」のうちの何れか一つであることが好ましい。
ここで、フラグが「０」であればタイプペイロード内のデータは色温度値を、フラグが「１」であればタイプペイロード内のデータはｘ−ｙ色度座標値を表し、フラグが「２」であればタイプペイロード内のデータは意味的情報であることが好ましい。
そして、意味的情報が「０」であれば「白熱灯」を、「１」であれば「蛍光灯」を、「２」であれば「日光」を、「３」であれば「天空光」を表すことが望ましい。
【００１２】
輝度ブロックは、ルクス単位の数値的値を表すデータを含むことが望ましい。
輝度ブロックは、フラグと輝度ペイロードとから構成され、フラグは、輝度ペイロード内のデータが数値的値であるか意味的値であるかを表し、輝度ペイロードは、フラグが数値的値を表す情報であればルックス単位の数値的値を、前記フラグが意味的値を表す情報であれば「暗い」、「薄暗い」、「明るい」、「非常に明るい」のうちいずれか一つを表すデータに該当することが望ましい。
ここで、フラグが「０」であれば輝度ペイロード内のデータがルクス単位の数値的値を、フラグが「１」であれば輝度ペイロード内のデータが意味的値を表し、意味的値が「０」であれば「暗い」を、意味的値が「１」であれば「薄暗い」を、意味的値が「２」であれば「明るい」を、意味的値が「３」であれば「非常に明るい」を表すことが望ましい。
【００１３】
本発明に係る映像表示装置周辺の照明特性データの生成装置は、照明の種類及び照明の輝度に関する情報を含む照明特性データを獲得する照明特性獲得部と、獲得した照明特性データを、照明光の種類に関する情報を表すタイプブロック及び照明光の輝度に関する情報を表す輝度ブロックよりなるデータフォーマットに変換する照明特性データ生成部とを含むことを特徴とする。
照明特性獲得部は、インターフェース部と計測センサーのうち一方を含み、インターフェース部は照明特性データをユーザから直接獲得し、計測センサーは照明特性を計測して照明特性データを出力する。
【００１４】
本発明に係る照明特性データを用いた色変移補償装置は、照明光の種類に関する情報を表すタイプブロックと、照明光の輝度に関する情報を表す輝度ブロックとを含んで構成されるデータフォーマットを有する照明特性データを生成して出力する照明特性データ部と、照明特性データを分析して、照明の種類及び照明の輝度に応じて、入力映像の色変移を補償する色変移補償部とを含むことを特徴とする。
照明特性データ部は、映像表示装置周辺の照明光の種類及び輝度に関する照明特性データを獲得する照明特性データの獲得部をさらに具備することが望ましい。
照明特性データの獲得部の照明特性データは、ユーザインターフェースを通じてユーザから直接獲得するか計測センサーにより獲得することが望ましい。
色変移補償部は、照明特性データを分析してタイプブロックデータと輝度ブロックデータとに分解する照明特性データ分析部と、照明特性データのタイプブロックデータを色温度値に変換する色温度変換部と、前記照明特性データの輝度ブロックデータが意味的な値である場合、マッピングテーブルにより数値的な値に変換する数値変換部と、照明特性データの色温度及び輝度に対する数値に相応するように入力映像を変換、若しくは映像表示装置の色温度及び輝度特性やコントラスト特性を調整する色変移調整部とを含むことが望ましい。
色変移調整部は、照明の色温度値が現在設定された照明色温度値または映像表示装置の周囲照明の求められる色温度値より高い場合には、表示される映像の色温度値が増加するように入力映像自体を変換、若しくは映像表示装置の色温度表示特性を調整し、照明の色温度値が現在設定された照明色温度値または映像表示装置の周囲照明の求められる色温度値より低い場合には、表示される映像の色温度値が減少するように入力映像を変換、若しくは映像表示装置の色温度表示特性を調整する色温度補償部と、照明のルックス値が現在設定された照明ルックス値または映像表示装置の周囲照明の求められる照明ルックス値より高い場合には、表示される映像の輝度値やコントラスト値が増加するように入力映像自体を変換、若しくは映像表示装置の輝度特性及びコントラスト特性を調整し、照明のルックス値が現在設定された照明ルックス値または映像表示装置の周囲照明の求められる照明ルックス値より低い場合には、表示される映像の輝度値やコントラスト値が減少するように入力映像自体を変換、若しくは映像表示装置の輝度特性及びコントラスト特性を調整する色輝度補償部と、を含むことが望ましい。
色変移補償装置は前記色変移補償された映像を出力する映像出力部をさらに具備することが望ましい。
【００１５】
本発明に係る色変移補償方法は、（１）映像表示装置周辺の照明特性データを生成する段階と、（２）照明特性データを分析し、照明の種類及び照明の輝度に基づいて、入力映像に生じた色変移を補償する段階とを含む。
ここで、照明特性データは、照明光の種類に関する情報を示すタイプブロックと、照明光の輝度に関する情報を示す輝度ブロックとを含むデータフォーマットを有するものである。
また、前記（１）段階は、映像表示装置周辺の照明光の種類及び輝度に関する照明特性データを獲得する段階と、獲得した照明光の種類に関する情報を示すタイプブロックと照明光の輝度に関する情報を示す輝度ブロックとを含んで構成されるデータフォーマットを持つ照明特性データを生成する段階とを含むことが好ましい。
また、照明特性データは、ユーザインターフェースを通じてユーザから直接獲得する、若しくは計測センサーにより獲得することが望ましい。
さらに、輝度ブロックデータが意味的値である場合に、色変移補償が、照明特性データのタイプブロックデータを色温度値に変換し、照明特性データの輝度ブロックデータを、マッピングテーブルを使用して数値的値に変換する段階と、
照明特性データの色温度及び輝度に対する数値に相応するように入力映像を変換する、若しくは映像表示装置の色温度及び輝度特性やコントラスト特性を調整する段階とを含むことが好ましい。
また、本発明に係る色変移補償方法は、色変移補償された映像を出力する段階をさらに具備することが好ましい。
【００１６】
そして、照明光の種類に関する情報を表すタイプブロック及び照明光の輝度に関する情報を表す輝度ブロックを含んでなるデータフォーマットを有するデータを記録した照明特性データの記録媒体を提供する。前記記録媒体に記録されたデータフォーマットのタイプブロックは、タイプペイロード内のデータが色温度値であるか色度座標値であるかを表すフラグと、前記フラグが色温度値を表す情報であれば色温度値、前記フラグが色度座標値を表す情報であれば色度座標値を表すタイプペイロードと、を含み、前記データフォーマットの輝度ブロックはルックス単位の数値的値を表すデータを含むことが望ましい。
【００１７】
また、前記記載された発明をコンピュータで実行させるためのプログラムを記録したコンピュータで読取れる記録媒体を提供する。
【発明の効果】
【００１８】
本発明による、映像表示装置周辺の照明特性データの生成方法及び装置によって生成された照明特性データを入力として、照明の影響による出力映像の視感的色変移を補償する変換を施行することによって、最初の入力映像の色特性を映像表示装置に出力される映像に再現できる。また、本発明による照明特性情報の記録のためのデータ構造はＸＭＬ、２進列など汎用の互換性のあるデータ形態に表現できる。したがって、多様な映像表示装置、映像表示ソフトウェア、ユーザ装置に映像を有／無線に供給するサービスシステムで照明影響に対する色変移補償変換を行うのに広範囲に使われ、特に映像を視聴するユーザの物理的環境特性に適した映像を発生させるのに共通的に利用される。
【発明を実施するための最良の形態】
【００１９】
以下、添付した図面を参照して本発明に係る映像表示装置周辺の照明特性データの生成装置及びその方法について詳細に説明する。図１は本発明に係る照明特性データの生成装置の構成を示したブロック図である。図２は本発明に係る照明特性データの生成方法を示したフローチャートである。
照明特性データの生成装置は、照明特性獲得部１００と照明特性データ生成部１５０とを含んで構成される。
【００２０】
照明特性獲得部１００は、ユーザインターフェース部１０と計測センサー２０とのうちの、少なくとも一つを含んで構成される。
この照明特性獲得部１００は、映像表示装置周辺の照明特性データを取得するものである（２００段階）。
【００２１】
ユーザインターフェース部１０は、照明特性データを、ユーザからインターフェースを介して直接取得するものである。
計測センサー２０は、映像表示装置に取り付けられた若しくは映像表示装置の周囲に配置されたラジオメーター（計測センサー）を介して、照明特性データを取得するものである。
【００２２】
ここで、ユーザインターフェース部１０が取得する照明特性データには、照明の輝度（照度）や種類に関する情報が含まれている。
照明の種類に関する情報とは、「白熱灯」、「蛍光灯」、「日光」、そして「天空光」のうちの一つに関するものである。
照明の輝度に関する情報とは、「暗い」、「薄暗い」、「明るい」、そして「非常に明るい」のうちの一つに関するものである。
【００２３】
計測センサー２０が取得する照明特性データには、照明の種類や、輝度（照度）に関する情報が含まれている。
照明の種類に関する情報には、照明の色温度値と、照明の色度座標系の座標値のうちの、少なくとも一つが含まれている。
色温度値とは、照明の色温度に関するものであり、ＩＳＯ／ＩＥＣ １５９３８−３で規定される色温度表現記述子のデータ表現形式に従って、８ビットで表示できるものである。
色度座標系の座標値とは、照明のｘ−ｙ色度座標系における座標値をいい、（ｘ，ｙ）で表示されるものである。ここで、ｘ−ｙ色度座標系には、ＣＩＥ１９３１ 三刺激値座標モデルから定義される２色度座標系を使用することが可能である。
照明の輝度（照度）に関する情報は、光の強さを示す単位であるルクス（Ｌｕｘ）の値として、表現されることが望ましい。
【００２４】
照明特性獲得部１００は、取得した照明特性データを出力する、又は計測センサー２０が取得した照明特性データを、照明の輝度（照度）や種類に関する情報を含む照明特性データに変換するものである。
ここで、照明の種類に関する情報には、照明の色温度値と照明の色度座標系の座標値のうちの、少なくともひとつが含まれている。そして、照明特性獲得部１００は、変換により得られた照明特性データを出力する。
【００２５】
また、照明特性獲得部１００は、ユーザインターフェース部１０が取得した照明特性データを、照明の輝度（照度）や種類に関する情報含む照明特性データに変換する構成とすることも可能である。
ここで、照明の種類に関する情報とは、「白熱灯」、「蛍光灯」、「日光」、そして「天空光」のうちの一つに関するものである。
照明の輝度に関する情報とは、「暗い」、「薄暗い」、「明るい」、そして「非常に明るい」のうち一つに関するものである。
そして、照明特性獲得部１００は、変換して得られた照明特性データを出力する。
尚、照明特性データの変換は、図８のようなマッピングテーブルを利用して実現可能である。
また、色温度値及び色度座標系の座標値は、色度座標系に描かれる日光ローカス曲線（ｄａｙｌｉｇｈｔ  ｌｏｃｕｓ）を利用して変換することができる。
【００２６】
計測センサー２０から出力される信号から、照明光の色温度や色度座標情報を取得する方法には様々なものがある。
例えば、計測センサー２０が複数の画素についてのＲＧＢ値を含む信号を出力する場合、ＲＧＢ座標値から、画素の平均ＲＧＢ値と、ｘ−ｙ色度座標系における座標（ｘ，ｙ）または色温度を計算するために、照明成分に該当する画素を推定、または選定する。
また、計測センサー２０が、単一の画素についてのＲＧＢ値を含む信号を出力する場合、ｘ−ｙ色度座標系における座標（ｘ，ｙ）または色温度を、ＲＧＢ座標値から直接計算することができる。
【００２７】
照明特性データ生成部１５０は、ユーザインターフェース部１０または計測センサー２０から入力された照明特性データを、照明（照明光）の種類に関する情報を表すタイプブロックと、照明光の輝度に関する情報を表す輝度ブロックとから構成されるデータ形式に変換する（２５０段階）。
【００２８】
図３は本発明に係る照明特性データの形式（フォーマット）を示した概念図である。図３に示すように、照明特性データの形式（フォーマット）は、タイプブロック３００と輝度ブロック３５０とから構成される。
【００２９】
タイプブロック３００は、フラグ３１０とタイプペイロード３２０とを含んで構成される。
フラグ３１０は、タイプペイロード３２０内のデータが、色温度値３２２と色度座標値３２４のうちの何れであるかを示す情報である。
尚、フラグ３１０は、タイプペイロード３２０内のデータが、照明の種類を示す意味的情報（テキスト情報）３２６であることを示す情報を含む構成とすることも可能である。
この場合、意味的情報は、「白熱灯」、「蛍光灯」、「日光」、「天空光」のうちいずれか一つを表す情報であることが望ましい。
【００３０】
本実施の形態の場合、フラグ３１０は「０」、「１」、「２」、「３」の値を取ることができる。
ここで、フラグが「０」である場合、タイプペイロード３２０内のデータが色温度値３２２であることを表す。このデータは、ＩＳＯ／ＩＥＣ １５９３８−３で規定する色温度表現記述子のデータ表現によって８ビットで量子化して表現できる。
【００３１】
フラグ３１０が「１」である場合、タイプペイロード３２０内のデータが色度座標値３２４であることを表す。なお、座標値は［０，１］の範囲である。座標値は、ＩＳＯ／ＩＥＣ １５９３８−５で規定したＭＰＥＧ７：ＺｅｒｏＴｏＯｎｅＴｙｐｅに該当するビットで表現できる。
【００３２】
フラグ３１０が「２」である場合、タイプペイロード３２０内のデータが意味的情報３２６であることを表す。
ここで、本実施の形態では、意味的情報３２６の値が「０」である場合は「白熱灯」を、「１」である場合は「蛍光灯」を、「２」である場合は「日光」を、「３」である場合は「天空光」を示すものとする。
【００３３】
輝度ブロック３５０は。ルクス（Ｌｕｘ）単位の値を表すデータを含むものである。
しかし、この輝度ブロック３５０は、フラグ３６０と輝度ペイロード３７０とを含んで構成することも可能である。
この場合、フラグ３６０は、輝度ペイロード３７０内のデータが数値的値３７２であるか意味的値３７４であるかを示すものである。
ここで、フラグ３６０が数値的値３７２であることを示す場合、輝度ペイロード３７０は、ルクス単位の値である数値的値３７２を含むことになる。
また、フラグ３６０が、意味的値３７４であることを示す場合、輝度ペイロード３７０は、「暗い」、「薄暗い」、「明るい」、「非常に明るい」のうちいずれか一つを示すデータを含むことになる。
【００３４】
本実施の形態では、フラグ３６０の値が「０」である場合、輝度ペイロード３７０内のデータがルクス単位の値である数値的値３７２であることを表す。
ここで、数値的値３７２は、Ｗ３Ｃ Ｒｅｃｏｍｍｅｎｄａｔｉｏｎ ０２−Ｍａｙ−２００１で規定されたＸＭＬスキーマ（ＸＭＬ ｓｃｈｅｍａ）に準拠する、ｎｏｎＮｅｇａｔｉｖｅＩｎｔｅｇｅｒデータ形式に対応するデータ形式で表すことができる。
【００３５】
フラグ３６０の値が「１」である場合、輝度ペイロード３７０内のデータが意味的値３７４であることを示す。
そして、本実施の形態では、意味的値３７４が「０」である場合は「暗い」を、意味的値３７２が「１」である場合は「薄暗い」を、意味的値３７４が「２」である場合は「明るい」を、そして意味的値３７４が「３」である場合は「非常に明るい」を示すものとする
【００３６】
照明特性データ生成部１５０で生成される照明特性データは、図９のようなＸＭＬスキーマに従うＸＭＬデータとして表現することが可能である。
【００３７】
この図９において、「ＩｌｌｕｍｉｎａｔｉｏｎＣｈａｒａｃｔｅｒｉｓｔｉｘｓＴｙｐｅ」は、自然環境の全体の照明特性を記述したものである。
「ＴｙｐｅＯｆＩｌｌｕｍｉｎａｔｉｏｎ」は、全体照明の種類を記述するものである。
「ＣｏｌｏｒＴｅｍｐｅｒａｔｕｒｅ」は、全体照明の相関色温度を示すものである。
これらの値の表現はＩＳＯ／ＥＣＥ １５９３８−３に規定されたように非均一方式で［１６６７，２５０００］の範囲を８ビットで量子化することによって得られる。
【００３８】
「Ｃｈｒｏｍａｔｉｃｉｔｙ」は、全体照明の色度を示す。ここで「ｘ」は色度座標系における全体照明のｘ座標を示し、「ｙ」はｙ座標を示す。そしてその座標値の範囲は［０，１］である。
「Ｉｌｌｕｍｉｎａｎｃｅ」はルクス単位の値で全体照明の輝度を記述するものである。
【００３９】
図１０は、ＩｌｌｕｍｉｎａｔｉｏｎＣｈａｒａｃｔｅｒｉｃｓの使用例を示す図である。
【００４０】
本発明に係る照明特性データは、色変移補償装置の「入力」として使用することが可能である。
そこで、照明の影響により生じた色変移の補償を、前述の照明特性データを用いて行う色変移補償装置及びその方法について説明する。
【００４１】
この色変移補償装置では、照明光の色度及び輝度のといった「入力」に基づいて、映像表示装置に出力される映像の視感的色変移程度（可視変色の程度）を、色度空間の座標（色度座標）で予測する。
そして、予測された座標値を利用して、入力映像に対して変移補償変換を行い、映像を表示装置に表示する。これにより照明光の影響を相殺できるので、入力映像において目的とされる色特性が再現されることになる。
【００４２】
図４は、本発明に係る色変移補償装置の構成を示すブロック図である。この色変位補償装置は、照明特性データ部４５０と、色変移補償部４００とを含んで構成される。そして、本発明が適用される状況に応じて、映像表示部４９０をさらに備える構成とすることも可能である。
【００４３】
照明特性データ部４５０は、前述の照明特性データ生成部１５０に相当するものであり、図５に示すように、照明特性獲得部５００と照明特性データ生成部５５０とを備えて構成される。
この照明特性データ部４５０は、映像表示装置周辺の照明特性データを生成して出力するものである。ここで、照明特性データは、前述したのと同様に、タイプブロックと輝度ブロックとより構成されるデータ形式を有している。
なお、照明特性データが既に取得されている場合には、照明特性データ部４５０は、照明特性データ生成部５５０だけで構成することも可能である。
【００４４】
照明特性獲得部５００は、映像表示装置周辺の照明光の種類及び輝度に関する照明特性データを取得するために、ユーザインターフェース部５０と計測センサー５５のうちの少なくとも一方を備えて構成される。ここで、ユーザインターフェース部５０は、照明特性データを、インターフェースを介してユーザから直接取得するものである。計測センサー５５は、実際の照明特性を感知して照明特性データを取得し、実際の照明特性を数値で求めるものである。
【００４５】
照明特性データ生成部５５０は、取得した照明特性データを、照明光の種類についての情報を示すタイプブロックと、照明光の輝度についての情報を示す輝度ブロックとより構成されるデータ形式に変換する。
【００４６】
このタイプブロックは、フラグとタイプペイロードとから構成される。
フラグは、タイプペイロード内のデータが、色温度値と色度座標系の座標値の何れであるかを示すものである。
フラグが色温度値を示す場合、タイプペイロード内のデータが色温度値であることを意味し、フラグが色度座標系の座標値を示す場合、タイプペイロード内のデータが色度座標系の座標値であることを意味する。
【００４７】
なお、タイプブロックのフラグは、タイプペイロード内のデータが色温度値と、色度座標系の座標値と、照明の種類に関する意味的情報とのうちの何れであるかを示す構成としても良い。
ここで、フラグが意味的情報を示す場合、タイプペイロードは、「白熱灯」、「蛍光灯」、「日光」、「天空光」のうち何れか一つを示すことになる。
【００４８】
輝度ブロックは、照明光の輝度値を示す数値であり、この輝度ブロックは、フラグと輝度ペイロードとから構成される。
ここで、フラグは、輝度ペイロード内のデータが、数値的値であるか意味的値であるかを示すものである。フラグが数値的値を示す場合、輝度ペイロードはルクス単位の数値的値を示すことになる。また、フラグが意味的値を表す場合、輝度ペイロードは「暗い」、「薄暗い」、「明るい」、「非常に明るい」のうちのいずれか一つを示すことになる。
【００４９】
図６に示すように、色変移補償部４００は、照明特性データ分析部６００、色温度変換部６１０、数値変換部６２０、及び色変移調整部６５０を含んで構成される。
色変移補償部４００は、照明特性データ部４５０で生成された照明特性データを分析し、照明特性データに基づいて、入力映像の色変移を補償するものである。
【００５０】
照明特性データ分析部６００は、照明特性データを分析してタイプブロックデータと輝度ブロックデータとにするものである。
【００５１】
色温度変換部６１０は、タイプブロックデータを色温度値に変換するものである。
ここで、タイプブロックデータが（ｘ，ｙ）座標である場合、色温度変換部６１０は、タイプブロックデータを色温度値に変換する。
タイプブロックデータが意味的値である場合、色温度変換部６１０は、図８のマッピングテーブルを使用して、タイプブロックデータを色温度値に変換する。
【００５２】
数値変換部６２０は、輝度ブロックデータが意味的値である場合、図８に図示されたマッピングテーブルを用いて、輝度ブロックデータをルクス値に変換するものである。
輝度ブロックデータが「暗い」のカテゴリである場合、数値変換部６２０は、輝度ブロックデータを、「暗い」のカテゴリにおける上限値に変換する。輝度ブロックデータが「非常に明るい」のカテゴリである場合、数値変換部６２０は、輝度ブロックデータを、「非常に明るい」のカテゴリにおける下限値に変換する。輝度ブロックデータが、これら以外のカテゴリである場合、数値変換部６２０は、輝度ブロックデータを、他のカテゴリにおける中間値に変換する。
【００５３】
色変移調整部６５０は、色温度補償部６０と、色輝度補償部６５とを備えて構成される。
色変移調整部６５０は、照明特性データの色温度及び輝度に対する数値（ルクス）に応じて、入力映像を変換する、若しくは映像表示装置の色温度及び輝度特性を調整するものである。
【００５４】
色温度補償部６０は、照明の色温度値が、現に設定された照明色温度値または映像表示装置の推奨色温度値より高い場合、表示される映像の色温度値が増加するように、入力映像を変換、若しくは映像表示装置の色温度表示特性を調整する。
【００５５】
色温度補償部６０は、照明の色温度値が、現に設定された照明色温度値または映像表示装置の推奨色温度値より低い場合、表示される映像の色温度値が減少するように、入力映像を変換、若しくは映像表示装置の色温度表示特性を調整する。
【００５６】
次に、入力映像の色温度を上昇／低下させる方法の一例を簡略に説明する。
はじめに、基準色温度と、照明によって基準色温度から変位（変化）した変移色温度との間の差を求める。ここで、基準色温度は、映像表示装置の特性を考慮してあらかじめ設定されたものである。
【００５７】
そして、入力映像の色温度と基準色温度との間の差を求める。
求めた差同士の比、すなわち、基準色温度と変位色温度との差（差１）と、入力映像の色温度と基準色温度との差（差２）との比から、目標色温度を決定する。
続いて、入力映像の色温度を、目標色温度に変換するための色温度変換係数を計算する。
最終的に出力される出力映像のＲＧＢ画素値を求めるために、色温度変換係数から得られた変換行列を、入力映像の各画素のＲＧＢベクトルで乗算する。
入力映像の色温度を求める方法の一例として、入力映像において照明成分に該当する画素を決定し、これらの平均ＲＧＢ値を求め、この値に該当する色度座標を計算する。そして、この座標に最も近接する同一色温度曲線上の点を求め、この点の色温度を入力映像の色温度として設定するものがある。
【００５８】
色輝度補償部６５は、照明のルクス値が現に設定された照明ルクス値または映像表示装置の周囲照明の推奨照明ルクス値より高い場合には、表示される映像の輝度値やコントラスト値が増加するように入力映像を変換、若しくは映像表示装置の輝度特性及びコントラスト特性を調整する。
【００５９】
一方、色輝度補償部６５は、照明のルクス値が現に設定された照明ルクス値または映像表示装置の周囲照明の推奨照明ルクス値より低い場合には、表示される映像の輝度値やコントラスト値が減少するように入力映像を変換、若しくは映像表示装置の輝度特性及びコントラスト特性を調整する。
【００６０】
表示される映像の輝度は次のような方法で調整できる。
まず、ＹＣｂＣｒ色座標のＹ値を、表示される映像の各画素から計算した後、各画素のＹ値を、Ｓ字状関数のようなマッピング関数に入力して新しいＹ’を得る。そして、新しく計算されたＹ’を、
元の色座標の値に変換する。
この他にも既存の他の方法によっても映像輝度の調整が可能である。
ここで、映像の色温度及び輝度を変化させる場合、輝度を先に変化させた後で色温度を変化させることが望ましい。
【００６１】
図７は、照明の影響によって生じた色変移の補償を、照明特性データを利用して行う方法、すなわち、色変移補償方法を示したフローチャートである。
【００６２】
映像表示装置周辺の照明特性データを生成する（７００段階）。この際、照明特性データは、照明特性データ部４５０により生成され、タイプブロック及び輝度ブロックを含んで構成されるデータ形式を有している。
そして、色変移補償部４００は、照明特性データを分析し、照明の種類及び照明の輝度に基づいて、入力映像に生じた色変移を補償する（７２０段階）。
そして、色変移の補償がされた映像は、映像表示部４９０により出力される（７４０段階）。
【００６３】
前述したように、照明特性データの生成方法及びその装置では、映像表示装置周辺の照明特性データが生成され、この照明特性データに基づいて、照明により入力映像に生じた色変移を補償することができる。従って、入力された映像が本来有する色特性を、映像表示装置において表示することができる。
さらに、照明特性データのデータ構造が、ＸＭＬやバイナリといった汎用データ形式と相性がよいもので実現できる。その結果、様々な種類の映像表示装置、映像処理ソフト、そしてユーザ側端末に有線又は無線で映像を提供するサービス等において照明の影響により生じる色変移の補償に幅広く適用可能となる。
特に本発明に係るデータ構造は、ユーザのおかれた物理的環境に適応させた映像を生成する際に好適に使用することができる。
【００６４】
本発明はコンピュータで読取りの可能な記録媒体に、コンピュータ（情報処理機能を有する装置をいずれも含む）が読取ることのできるコード（プログラム）として具現することができる。
ここで、コンピュータでの読取りが可能な記録媒体には、コンピュータでの読取りか可能なデータが、保存等が行えるあらゆる記録装置が含まれる。このようなものとして例えば、ＲＯＭ、ＲＡＭ、ＣＤ−ＲＯＭ、磁気テープ、フロッピーディスク、光データ貯蔵装置等が挙げられる。
【００６５】
本発明は図面に図示された実施例を参考として説明されたが、これは例示的なものにすぎず、当業者であればこれより多様な変形及び均等な他の実施例が可能であるという点を理解できる。したがって、本発明の真の技術的保護範囲は特許請求の範囲の技術的思想により定められねばならない。
【００６６】
本発明は映像を有／無線に供給するサービスシステム、映像表示装置、映像表示ソフトウェアなど映像処理関連分野に利用される。
【図面の簡単な説明】
【００６７】
【図１】本発明による照明特性データの生成装置の構成を示すブロック図である。
【図２】本発明による照明特性データの生成方法を示すフローチャートである。
【図３】本発明による照明特性データのフォーマットを示す概念図である。
【図４】本発明による色変移補償装置の構成を示すブロック図である。
【図５】図４の照明特性データ部の構成を示すブロック図である。
【図６】図４の色変移補償部の構成を示すブロック図である。
【図７】本発明による照明特性データの生成装置及び方法によって生成された照明特性データを適用して照明の影響に対して色変移補償を行う色変移補償方法を示すフローチャートである。
【図８】意味的値と数値的値との変換関係を示すマッピングテーブルである。
【図９】照明特性データをＸＭＬデータとして表現した場合の例を示す図である。
【図１０】ＩｌｌｕｍｉｎａｔｉｏｎＣｈａｒａｃｔｅｒｉｃｓの使用例を示す図である。
【符号の説明】
【００６８】
１０  ユーザインターフェース部
２０  計測センサー
１００  照明特性獲得部
１５０  照明特性データ生成部
【図１】
2004212969.tif 000003
【図２】
2004212969.tif 000004
【図３】
2004212969.tif 000005
【図４】
2004212969.tif 000006
【図５】
2004212969.tif 000007
【図６】
2004212969.tif 000008
【図７】
2004212969.tif 000009
【図８】
2004212969.tif 000010
【図９】
2004212969.tif 000011
【図１０】
2004212969.tif 000012